(57)【要約】【課題】本発明は、装着対象へ容易に装着可能なホルダを提供することを課題とする。また、本発明は、保持対象を容易に保持可能なホルダを提供することを課題とする。【解決手段】  本発明に係るホルダ１００は、保持対象を保持可能なホルダ本体１０と、装着対象を挟持可能なクリップ体２０と、を備え、前記ホルダ本体１０は、前記クリップ体２０の先端側に配置され、先端方向に向かって突出していることを特徴とする構成となっている。このような構成により、装着対象へ容易に装着可能であり、かつ、保持対象を容易に取付け可能なホルダ１００を提供することができる。【選択図】図１
2019060931.tif 000002
【特許請求の範囲】
【請求項１】
保持対象を保持可能なホルダ本体と、
装着対象を挟持可能なクリップ体と、を備え、
前記ホルダ本体は、前記クリップ体の先端方向に向かって突出していることを特徴とする、ホルダ。
【請求項２】
前記クリップ体は、上側挟持部と、下側挟持部と、を有し、
前記ホルダ本体は、前記上側挟持部の先端側に設けられていることを特徴とする、請求項１に記載のホルダ。
【請求項３】
前記クリップ体の長さは、３０〜７０ｍｍの範囲に設定されていることを特徴とする、請求項１又は請求項２に記載のホルダ。
【請求項４】
前記ホルダ本体は、環状に形成されたフレーム部を有していることを特徴とする、請求項１〜３の何れかに記載のホルダ。
【請求項５】
前記ホルダ本体は、先端側に湾曲部が設けられていることを特徴とする、請求項１〜４の何れかに記載のホルダ。
【請求項６】
前記保持対象はアイウェアであることを特徴とする、請求項１〜５の何れかに記載のホルダ。
【発明の詳細な説明】
【技術分野】
【０００１】
本発明は、眼鏡等の保持対象を身に装着可能なホルダに関する。
【背景技術】
【０００２】
従来、眼鏡を取り外して身に装着する方法として、眼鏡のフレームの両端を鎖等で結び、これを首にかけて装着する方法が知られている。一方、この方法では、身に着けた装着者が動いた際に眼鏡が揺れて邪魔になってしまうという課題があった。このような課題に対し、眼鏡が揺れないよう身に装着（固定）可能な眼鏡ホルダが種々提案されている。
【０００３】
例えば、特許文献１には、ネクタイ留めの表面に眼鏡のフレームが通る穴明き具を設けた眼鏡掛け具付ネクタイ留めの技術が記載されている。
【先行技術文献】
【特許文献】
【０００４】
【特許文献１】実用新案登録第３０１１０６９号公報
【発明の概要】
【発明が解決しようとする課題】
【０００５】
ところで、特許文献１に記載の眼鏡掛け具付ネクタイ留めは、眼鏡のフレームが通る穴明き具がネクタイ留めの直上に配置されている。言い換えれば、この穴明き具は、ネクタイ留めの長さ方向に逸脱しないよう、ネクタイ留めに重なるように位置決めされている。
【０００６】
本発明者は、ネクタイ留めと穴明き具の相対位置関係に着目し、検討を繰り返した結果、このように穴明き具をネクタイ留めに重なるように配置した場合には、ネクタイ留めに衣類を挟み難いことや、穴明き具に眼鏡を通し難いという問題を見出した。
【０００７】
すなわち、特許文献１に記載の眼鏡掛け具付ネクタイ留めは、ネクタイ留めを衣類に装着する際に、ネクタイ留めのクリップ構造の開いた狭小な隙間に衣類の生地を差込む手間が生じてしまう。また、眼鏡を穴明き具へ差込む（取付ける）際には、眼鏡を差し込む軌道上にネクタイ留めが存在するため、眼鏡のテンプル等がネクタイ留めと接触・干渉して挿入し難い構成となっている。
【０００８】
本発明は、以上のような点を考慮してなされたものであり、装着対象へ容易に装着可能なホルダを提供することを課題とする。
また、本発明は、保持対象を容易に取付け可能なホルダを提供することを課題とする。
【課題を解決するための手段】
【０００９】
上記課題を解決するため、本発明に係るホルダは、保持対象を保持可能なホルダ本体と、装着対象を挟持可能なクリップ体と、を備え、前記ホルダ本体は、前記クリップ体の先端方向に向かって突出していることを特徴とする。
【００１０】
本発明に係るホルダによれば、ホルダ本体がクリップ体の先端方向に突出しているため、ホルダ本体を装着対象に装着する際に、装着を補助するガイドの役目を果たし、ホルダを容易に装着対象へ装着することができる。
また、眼鏡を差し込む軌道上にクリップ体（ネクタイ留め）が存在しないため、保持対象を容易に取付け、保持することができる。
【００１１】
本発明の好ましい形態では、前記クリップ体は、上側挟持部と、下側挟持部と、を有し、前記ホルダ本体は、前記上側挟持部の先端側に設けられていることを特徴とする。
このように、上側挟持部の先端側にホルダ本体が設けられていることより、ホルダ本体がクリップ体の装着位置から少しズレて配置されるため、ホルダ本体の視認性を向上させることができる。これにより、使用者は保持対象の係止箇所を明確に視認して、より容易に保持対象を取付けることができる。また、ホルダ本体のデザインにロゴやエンブレム等をする場合には、周囲の人々に対しての宣伝効果を発揮させることができる。
【００１２】
本発明の好ましい形態では、前記クリップ体の長さは、３０〜７０ｍｍの範囲に設定されていることを特徴とする。
このような範囲にクリップ体の長さを設定することにより、保持対象の荷重のかかるホルダ本体を装着者の体に接触させ、荷重を分散させることができるため、衣服の型崩れを抑制することができる。
【００１３】
本発明の好ましい形態では、前記ホルダ本体は、環状に形成されていることを特徴とする。
このように、ホルダ本体が環状に形成されていることにより、保持対象の脱落を抑制することができる。
【００１４】
本発明の好ましい形態では、前記ホルダ本体は、先端側に湾曲部が設けられていることを特徴とする。
このように、ホルダ本体の先端側に湾曲部を設けることにより、スムーズに装着対象上を滑らせてガイドすることができ、より容易に装着対象に装着することができる。
【発明の効果】
【００１５】
本発明によれば、装着対象へ容易に装着可能なホルダを提供することができる。
また、本発明によれば、保持対象を容易に取付け可能なホルダを提供することができる。
【図面の簡単な説明】
【００１６】
【図１】本発明の一実施形態に係るホルダの斜視図である。
【図２】本発明の一実施形態に係るホルダの斜視図である。
【図３】本発明の一実施形態に係るホルダを装着対象に装着する様子を示す説明図である。
【図４】本発明の一実施形態に係るホルダに保持対象を取付ける様子を示す説明図である。
【図５】本発明の一実施形態に係るホルダの使用状態を示す説明図である。
【図６】本発明の一実施形態に係るホルダの使用状態を示す説明図である。
【発明を実施するための形態】
【００１７】
以下、本発明を図面に示した好ましい一実施形態について図１〜図６を用いて詳細に説明する。本発明の技術的範囲は、添付図面に示した実施形態に限定されるものではなく、特許請求の範囲に記載された範囲内において、適宜変更が可能である。
【００１８】
図１及び図２は本実施形態に係るホルダ１００の構成を説明する図である。図１はホルダ１００を斜め上方から観察した斜視図であり、図２はホルダ１００を斜め下方から観察した斜視図である。
【００１９】
本発明の一実施形態に係るホルダ１００は、眼鏡Ｇ等の保持対象を保持可能なホルダ本体１０と、シャツＳ等の装着対象を挟持可能なクリップ体２０と、を備えている。
この保持対象としては、本実施形態に示す眼鏡Ｇ以外にも、サングラス等のアイウェアやアクセサリー、ドライバー等の工具、ペン等の文具、等を例示することができる。
装着対象としては、本実施形態に示すシャツＳの前立て部Ｓ１以外にも、ネクタイや襟元、袖口、ベルト、ポケット等に衣服の各部に装着することができ、さらには、鞄のポケットやショルダー、車のサンバイザー、等に装着することができる。
【００２０】
なお、本実施形態では、Ｘ方向に沿って、クリップ体２０を装着対象に挟持した際に、装着対象が露出する表面側を上方向とし、逆に裏面側を下方向として上下方向を定める。
また、Ｙ方向に沿って、クリップ体２０からホルダ本体１０に向かう方向を先端方向とし、逆にホルダ本体１０からクリップ体２０に向かう方向を基端方向として、長さ方向を定める。さらに、Ｚ方向に沿って、ホルダ１００の幅方向を定める。
【００２１】
ホルダ本体１０は、クリップ体２０の先端側（先端寄り）に配置され、先端方向に向かって突出するように設けられている。このホルダ本体１０は、保持対象の一部が挿通されて係止・保持される係止部１１と、環状に形成されたフレーム部１２と、このフレーム部１２の先端側に設けられる湾曲部１３と、を有している。
【００２２】
係止部１１は、保持対象の一部が係止可能な大きさに形成されていれば良い。例えば、様々なデザインの眼鏡Ｇのテンプルを容易に挿通可能なよう、係止部１１の幅は、好ましくは１０〜５０ｍｍの範囲に設定されている。
【００２３】
本実施形態では、係止部１１が挿通孔である例を示したが、Ｕ字状や弧状の係止部１１を採用しても良い。また、挿通孔を１つ形成した例を示したが、この挿通孔（係止部１１）を複数形成しても良いし、ホルダ１００のデザインコンセプトに合わせて任意の形状（例えば、ハート型や星型等）を採用することができる。
【００２４】
フレーム部１２は、挿通孔を有する環状に形成された例を示したが、係止部１１と同様に、ホルダ１００のデザインコンセプトに合わせて任意の形状を採用することができ、ロゴやエンブレム等のデザインを採用しても良い。また、リング状でなくとも、切り欠きを有した形状（例えば、クエスチョンマークを横倒しにしたような鉤状）のフレーム部１２を採用することも可能である。
【００２５】
なお、フレーム部１２は環状に形成されている場合には、係止部１１から保持対象が脱落することを抑制することができる。
このフレーム部１２の材料としては、真鍮ロジュウムメッキを例示することができるがこれに限定されることなく、任意の材料を採用することができる。
【００２６】
湾曲部１３は、フレーム部１２の先端側を湾曲させて形成されている。この湾曲部１３は、先端方向に向かって張り出すように幅方向Ｚに沿って湾曲し形成されている。なお、本実施形態においては、フレーム部１２が円形のリング状に形成されているため、フレーム部１２の先端側が湾曲部１３を形成している。また、この湾曲部１３には、面取り加工が施されていることが望ましい。
【００２７】
クリップ体２０は、上側挟持部２１と、下側挟持部２２と、この下側挟持部２２を上側挟持部２１に向けて付勢させる付勢手段２３と、を有している。
このクリップ体２０の長さは、好ましくは３０〜７０ｍｍの範囲に設定されている。
【００２８】
上側挟持部２１は、先端側にフレーム部１２が接続されており、基端側に下側挟持部２２に向かって立ち上がる腰部２１１が形成されている。
この腰部２１１には、下側挟持部２２が軸受２４を介して回動自在に接続されている。なお、この軸受２４には、コイルバネ等の付勢手段２３が設けられている。付勢手段２３としては、コイルバネに限られず、材料自体の復元力を利用したものや磁石を利用したもの等、慣用の手段を採用することが当然に可能である。
【００２９】
また、上側挟持部２１の上面には、クリップ体２０の表面を装飾する装飾部２１２を設けても良い。この装飾部２１２は、任意の材料を選択して任意のデザインを施すことができ、革や金属等の材料で厳かに装飾しても良いし、樹脂等の材料で華やかに装飾しても良い。また、この装飾部２１２の材料に、フレーム部１２と異なる材料を採用することにより、フレーム部１２のデザインを強調することができる。
一方で、この装飾部２１２にフレーム部１２と同じ材料を採用する場合には、フレーム部１２と一体に形成しても良い。
【００３０】
下側挟持部２２は、軸受２４を介して腰部２１１へ回動自在に接続される操作部２２１と、この操作部２２１の先端に設けられる天秤部２２２と、を有している。
【００３１】
操作部２２１は、先端側に配置される天秤部２２２に接続される軸受２２１１と、基端側に配置される操作片２２１２と、を有している。この操作部２２１は、操作片２２１２よりも先端側で軸受２４を介して上側挟持部２１の腰部２１１と接続されている。
【００３２】
天秤部２２２は、軸受２２１１を介して回動自在に操作部２２１と接続されており、上側挟持部２１に向けて設けられる先端側突起２２２１と、基端側突起２２２２と、を有している。この先端側突起２２２１及び基端側突起２２２２と、が上側挟持部２１に向けて付勢され、上側挟持部２１とこれら突起とで装着対象を挟み込むことで、装着対象に装着される。
【００３３】
このように先端側突起２２２１と基端側突起２２２２との２点で、装着対象を挟持するため、装着したホルダ１００自体が回転してしまうことを抑制することができる。なお、これらの突起は２つに限定されるわけではなく、２点以上の突起を設けても良いし、面で付勢する構成を採用しても良い。
また、装着対象との接触箇所を複数点設けることにより、装着対象の型崩れを抑制することができる。
【００３４】
また、本実施形態では、クリップ体２０として下側挟持部２２が天秤部２２２を有したいわゆるワイパー型を例示したが、慣用のクリップ方式を採用することができ、スライド式やワニ口式等であってもよい。
【００３５】
次に、図３ないし図６を参照して、本発明の一実施形態に係るホルダ１００の使用方法について詳細に説明する。
図３は、本実施形態に係るホルダ１００を装着対象であるシャツＳに装着する手順を示す説明図である。
【００３６】
図３（ａ）は、ホルダ本体１０の湾曲部１３が、クリップ体２０に先行して、シャツＳの前立て部Ｓ１に接触する様子を示す図である。このように、ホルダ本体１０がクリップ体２０の先端方向に突出するよう配置されているため、ホルダ本体１０の湾曲部１３が先行して前立て部Ｓ１の生地に接触する。そのため、ホルダ１００の装着時には、ホルダ本体１０の装着を補助するガイドとして機能させることができる。
【００３７】
図３（ｂ）は、操作部２２１の基端側に配置される操作片２２１２を押圧し、上側挟持部２１と下側挟持部２２の間に間隙を形成する様子を示した図である。図３（ｃ）に示すように、この状態のまま湾曲部１３を先端方向にスライドさせ、ホルダ１００を装着位置まで移動させる。
【００３８】
最後に、図３（ｄ）に示すように、操作片２２１２の押圧を解き、付勢手段２３によって先端側突起２２２１及び基端側突起２２２２が上側挟持部２１に向けて付勢することで、前立て部Ｓ１の生地を挟持して、ホルダ１００がシャツＳに装着される。
【００３９】
図４は、保持対象である眼鏡Ｇをホルダ１００に取り付ける様子を示す説明図である。
眼鏡Ｇをホルダ本体１０に係止する場合には、ホルダ１００の幅方向（図１及び図２のＺ方向）に平行な軌道で、係止部１１である挿通孔に眼鏡Ｇのテンプル部を差し込む。
【００４０】
この時、ホルダ本体１０の係止部１１が、クリップ体２０の先端方向に向かって突出しているため、眼鏡Ｇを差し込む軌道上にクリップ体２０が存在しない。そのため、クリップ体２０が眼鏡Ｇと接触・干渉することがなく眼鏡Ｇを容易に取付けることができる。
また、ボタンや裁縫が施される前立て部Ｓ1から離れた位置にホルダ本体１０が配置されるため、ホルダ本体１０を視認しやすく、係止部１１に眼鏡Ｇを容易に取付けることができる（図４ないし図６参照）。
【００４１】
図５及び図６は、本実施形態に係るホルダ１００の使用状態を示す説明図である。
図５のように、胸元に近い位置の前立て部Ｓ１にホルダ１００を取付けて使用しても良いし、図６のように、襟部Ｓ２に近い位置の前立て部Ｓ１にホルダ１００を取付けて使用しても良い。装着者Ｈの状況や気分によって好きな位置にホルダ１００を装着することができる。
【００４２】
例えば、図６のように、襟部Ｓ２に近い位置に装着した場合には、椅子に座った状態で眼鏡Ｇが机や食器等に接触しない位置に保持することが可能であるし、車のシートベルトが当たらない位置に配置することも可能である。
【００４３】
また、図５や図６のようにホルダ１００を装着した場合には、眼鏡Ｇの荷重がホルダ本体１０の位置で装着者Ｈの体にかかるため、シャツＳに力がかかり過ぎることがなく、前立て部Ｓ1や襟部Ｓ２の形の崩れを抑制することができる。特に、Ｔシャツや柔らかい生地のブラウス等の襟元にホルダ１００を装着した場合であっても襟元の形が崩れ難い。
【００４４】
本発明によれば、ホルダ本体１０がクリップ体２０の先端方向に向かって突出していることにより、ホルダ１００を装着対象に装着する際に、ホルダ本体１０が先行して装着対象に接触するため、より容易にホルダ１００を装着することができる。
すなわち、ホルダ本体１０が突出していない場合には、上側挟持部２１と下側挟持部２２の間に生じた狭小な隙間に、衣類の生地を差し込む必要があったが、ホルダ本体１０を突出させることにより、ホルダ本体１０がガイドの役割を果たして、より容易にホルダ１００を装着対象に装着することができる。
【００４５】
また、本発明によれば、ホルダ本体１０がクリップ体２０の先端方向に向かって突出していることにより、クリップ体２０が保持対象の取付け軌道上に配置されず、取付け動作を妨げることがないため、より容易に保持対象の取付けを行うことができる。
すなわち、ホルダ本体１０をクリップ体２０に重なるように配置した場合には、ホルダ本体１０に保持対象を差し込む軌道上にクリップ体２０が配置されることとなり、少なからずクリップ体２０に接触・干渉しないよう（クリップ体２０を避けるよう）取り付ける必要がある。本発明に係るホルダ１００は、ホルダ本体１０をクリップ体２０の先端方向に向かって突出させ、係止部１１の位置をクリップ体２０から遠ざけることにより、保持対象の取付け軌道上にクリップ体２０が配置されることがなく、より容易に保持対象をホルダ１００に取り付けることができる。
【００４６】
また、本実施形態によれば、ホルダ本体１０をクリップ体２０の先端側に配置したことにより、ホルダ本体１０のデザインを際立たせて、視認性を向上させることができる。これにより、装着者Ｈがホルダ本体１０の係止部１１を容易に確認することができるだけでなく、ホルダ本体１０にロゴやエンブレムをあしらうことで宣伝効果を発揮させることができる。また、ホルダ本体１０が装着者Ｈに接触して、保持対象の荷重を分散させるため、衣服の型崩れを抑制することができる。
【符号の説明】
【００４７】
１００  ホルダ
１０  ホルダ本体
１１  係止部
１２  フレーム部
１３  湾曲部
２０  クリップ体
２１  上側挟持部
２２  下側挟持部
２３  付勢手段
Ｇ  眼鏡
Ｓ  シャツ
Ｈ  装着者
【図１】
2019060931.tif 000003
【図２】
2019060931.tif 000004
【図３】
2019060931.tif 000005
【図４】
2019060931.tif 000006
【図５】
2019060931.tif 000007
【図６】
2019060931.tif 000008